(57)【要約】【課題】参照性の容易さと、参照意欲を起こさせる仕組みを兼ね備えた広告データ等の配布方法を提供することを目的とする。【解決手段】サービス提供者は、複数のルートで、ユーザから顧客情報を得る。この顧客情報から、ユーザの商品購買意欲をセグメント化して管理する。そして、セグメント化されたユーザごとに、商品の広告データを選択し、選択された広告データをメモリカード１０に格納して配布する。ユーザが、メモリカード１０を、携帯電話機５にセットすると、自動的に、広告データのビューワが起動し、商品の広告が表示される。メモリカード１０には、商品の広告内容が印字されたシール１１が貼付されている。【選択図】図１
2008083829.tif 000002
【特許請求の範囲】
【請求項１】
ユーザの商品購買意欲のレベルを登録するデータベースを管理する工程と、
ユーザの商品購買意欲のレベルに応じて選択された配布データを携帯端末に挿入可能なメモリカードに格納する工程と、
前記メモリカードをユーザに配布する工程と、
を備えることを特徴とするメモリカードによるデータ配布方法。
【請求項２】
請求項１に記載のメモリカードによるデータ配布方法において、
前記配布データは、
ユーザの商品購買意欲のレベルに応じて選択された商品の広告データ、
を含むことを特徴とするメモリカードによるデータ配布方法。
【請求項３】
請求項１に記載のメモリカードによるデータ配布方法において、
前記配布データは、
ユーザの商品購買意欲のレベルに応じて選択されたデジタルコンテンツデータ、
を含むことを特徴とするメモリカードによるデータ配布方法。
【請求項４】
携帯端末に挿入可能なメモリカードに、制限されることなく参照可能な第１配布データと、鍵情報を与えることによって参照可能となる第２配布データとを格納する工程と、
前記メモリカードを配布されたユーザが、携帯端末に前記メモリカードを挿入した上で、所定の操作を行うことによって、前記鍵情報が与えられ、前記第２配布データが参照可能な状態とされる工程と、
を備えることを特徴とするメモリカードによるデータ配布方法。
【請求項５】
請求項４に記載のメモリカードによるデータ配布方法において、
前記所定の操作として、ユーザがネットワーク経由で所定のサーバに対して会員登録情報を送信することにより、前記第２配布データを参照するための鍵情報が前記所定のサーバよりダウンロードされることを特徴とするメモリカードによるデータ配布方法。
【請求項６】
請求項４に記載のメモリカードによるデータ配布方法において、
前記所定の操作として、ユーザがネットワーク経由で所定のサーバに対してアンケート回答情報を送信することにより、前記第２配布データを参照するための鍵情報が前記所定のサーバよりダウンロードされることを特徴とするメモリカードによるデータ配布方法。
【請求項７】
請求項４に記載のメモリカードによるデータ配布方法において、
前記所定の操作として、ユーザがネットワーク経由で所定のサーバに対して課金情報を送信することにより、前記第２配布データを参照するための鍵情報が前記所定のサーバよりダウンロードされることを特徴とするメモリカードによるデータ配布方法。
【請求項８】
請求項４ないし請求項７のいずれかに記載のメモリカードによるデータ配布方法において、
前記第１配布データは、商品の広告データであり、前記第２配布データとして、さらに詳細な広告データが格納されていることを特徴とするメモリカードによるデータ配布方法。
【請求項９】
請求項４ないし請求項７のいずれかに記載のメモリカードによるデータ配布方法において、
前記第１配布データは、デジタルコンテンツデータの無料提供部分であり、前記第２配布データが参照可能となることで、デジタルコンテンツデータの全体が参照可能となることを特徴とするメモリカードによるデータ配布方法。
【請求項１０】
請求項４ないし請求項７のいずれかに記載のメモリカードによるデータ配布方法において、
前記第２配布データとして、特典情報が格納されていることを特徴とするメモリカードによるデータ配布方法。
【請求項１１】
請求項１ないし請求項１０のいずれかに記載のメモリカードによるデータ配布方法において、
前記メモリカードのカード表面には、格納されている配布データの内容を表すシールが貼付されていることを特徴とするメモリカードによるデータ配布方法。
【請求項１２】
請求項１ないし請求項１０のいずれかに記載のメモリカードによるデータ配布方法において、
前記メモリカードのカード表面には、付加情報を取得するためのネットワークアドレス情報が含まれるシールが貼付されていることを特徴とするメモリカードによるデータ配布方法。
【請求項１３】
請求項１ないし請求項１２のいずれかに記載のメモリカードによるデータ配布方法において、
前記携帯端末に前記メモリカードが挿入されることで、前記メモリカードに格納されているデータが、前記携帯端末において自動再生されることを特徴とするメモリカードによるデータ配布方法。
【請求項１４】
請求項１ないし請求項１３のいずれかに記載のメモリカードによるデータ配布方法において、
前記メモリカードに格納されているデータを再生するためのアプリケーションプログラムは、前記メモリカードに格納されているデータを検索する機能を備えていることを特徴とするメモリカードによるデータ配布方法。
【請求項１５】
請求項１ないし請求項１４のいずれかに記載のメモリカードによるデータ配布方法において、
前記メモリカードは、データの追記可能な媒体であり、ユーザが、ダウンロードしたデータを追記することを可能としたことを特徴とするメモリカードによるデータ配布方法。
【発明の詳細な説明】
【技術分野】
【０００１】
本発明は、メモリカードを利用して、広告データやデジタルコンテンツを配布する方法に関する。
【背景技術】
【０００２】
昨今、市場ニーズの多様化に伴い、企業、製品、ブランドの広告手法も多様化が進んでいる。企業はターゲットとなる消費者毎に、より訴求力の高い広告を確実に届ける必要性が増している。
【０００３】
電子広告を利用することで、静止画しか提供できない紙媒体の広告に比べて多様な宣伝効果を得ることができる。現在、携帯電話端末やＰＣ等を用いて、インターネット経由で情報を発信、マーケティングが行われるのが主流となっている。
【０００４】
【特許文献１】特開２００６−４００４号公報
【発明の開示】
【発明が解決しようとする課題】
【０００５】
携帯電話サイトを使ったプロモーションでは、目的サイトにアクセスするまでの操作が複雑である。たとえば、ディレクトリ構造が複雑であると、目的サイトに辿り着くために多数の操作が必要となる。また、画像などを参照するには、通信速度が充分とは言えない。また、ダウンロードデータ量の制限もある。さらには、パケット通信料金が発生する為、利用者の敷居が高く、利用率の伸び悩みが問題となっている。このため、携帯電話サイトを使ったプロモーションでは、確実に消費者にアピールしたい情報を届ける事が出来ない。
【０００６】
また、２次元コードを携帯電話のカメラ機能で読み取り、所定のサイトに誘導する手法や、ＤＶＤ、ＣＤ等のメディアに販促用データを記録し、消費者に配る手法も実施されている。
【０００７】
２次元コードを利用した手法は、アクセスの操作を容易化させることが可能であるが、広告メディア自体は、携帯電話サイトに存在する形態である。このため、通信速度の問題、パケット通信料金の発生などの状況は上記と同様である。
【０００８】
また、ＤＶＤ、ＣＤ等のメディアを利用した場合、家電プレーヤーからは直接商品を購入することができない。その為、ＰＣおよびＷＥＢを利用したプロモーションと比べて大きなアドバンテージが無い。ＤＶＤ、ＣＤ等をＰＣで利用するプロモーションも考えられるが、ユーザが、ある程度ＰＣの操作に精通している必要がある。また、広告を参照するために、ＰＣが必要であるということは、ユーザに広告を提示するための時間と場所を制限することになる。
【０００９】
上記特許文献１は、商品データベースとカタログ表示プログラムとをメモリカードに格納し、メモリカードによって商品カタログを提供する発明に関するものである。特許文献１の商品カタログは、移動通信端末で参照可能であるという点でメリットがあるが、カタログの内容が汎用的なものである。したがって、その商品カタログを参照するか否かは、ユーザ次第である。逆に言えば、商品カタログの内容が、ユーザにとって興味のないものである可能性も高い。
【００１０】
そこで、本発明は前記問題点に鑑み、参照性の容易さと、参照意欲を起こさせる仕組みを兼ね備えた広告データ等の配布方法を提供することを目的とする。
【課題を解決するための手段】
【００１１】
上記課題を解決するため、請求項１記載の発明は、ユーザの商品購買意欲のレベルを登録するデータベースを管理する工程と、ユーザの商品購買意欲のレベルに応じて選択された配布データを携帯端末に挿入可能なメモリカードに格納する工程と、前記メモリカードをユーザに配布する工程と、を備えることを特徴とする。
【００１２】
請求項２記載の発明は、請求項１に記載のメモリカードによるデータ配布方法において、前記配布データは、ユーザの商品購買意欲のレベルに応じて選択された商品の広告データ、を含むことを特徴とする。
【００１３】
請求項３記載の発明は、請求項１に記載のメモリカードによるデータ配布方法において、前記配布データは、ユーザの商品購買意欲のレベルに応じて選択されたデジタルコンテンツデータ、を含むことを特徴とする。
【００１４】
請求項４記載の発明は、携帯端末に挿入可能なメモリカードに、制限されることなく参照可能な第１配布データと、鍵情報を与えることによって参照可能となる第２配布データとを格納する工程と、前記メモリカードを配布されたユーザが、携帯端末に前記メモリカードを挿入した上で、所定の操作を行うことによって、前記鍵情報が与えられ、前記第２配布データが参照可能な状態とされる工程と、を備えることを特徴とする。
【００１５】
請求項５記載の発明は、請求項４に記載のメモリカードによるデータ配布方法において、前記所定の操作として、ユーザがネットワーク経由で所定のサーバに対して会員登録情報を送信することにより、前記第２配布データを参照するための鍵情報が前記所定のサーバよりダウンロードされることを特徴とする。
【００１６】
請求項６記載の発明は、請求項４に記載のメモリカードによるデータ配布方法において、前記所定の操作として、ユーザがネットワーク経由で所定のサーバに対してアンケート回答情報を送信することにより、前記第２配布データを参照するための鍵情報が前記所定のサーバよりダウンロードされることを特徴とする。
【００１７】
請求項７記載の発明は、請求項４に記載のメモリカードによるデータ配布方法において、前記所定の操作として、ユーザがネットワーク経由で所定のサーバに対して課金情報を送信することにより、前記第２配布データを参照するための鍵情報が前記所定のサーバよりダウンロードされることを特徴とする。
【００１８】
請求項８記載の発明は、請求項４ないし請求項７のいずれかに記載のメモリカードによるデータ配布方法において、前記第１配布データは、商品の広告データであり、前記第２配布データとして、さらに詳細な広告データが格納されていることを特徴とする。
【００１９】
請求項９記載の発明は、請求項４ないし請求項７のいずれかに記載のメモリカードによるデータ配布方法において、前記第１配布データは、デジタルコンテンツデータの無料提供部分であり、前記第２配布データが参照可能となることで、デジタルコンテンツデータの全体が参照可能となることを特徴とする。
【００２０】
請求項１０記載の発明は、請求項４ないし請求項７のいずれかに記載のメモリカードによるデータ配布方法において、前記第２配布データとして、特典情報が格納されていることを特徴とする。
【００２１】
請求項１１記載の発明は、請求項１ないし請求項１０のいずれかに記載のメモリカードによるデータ配布方法において、前記メモリカードのカード表面には、格納されている配布データの内容を表すシールが貼付されていることを特徴とする。
【００２２】
請求項１２記載の発明は、請求項１ないし請求項１０のいずれかに記載のメモリカードによるデータ配布方法において、前記メモリカードのカード表面には、付加情報を取得するためのネットワークアドレス情報が含まれるシールが貼付されていることを特徴とする。
【００２３】
請求項１３記載の発明は、請求項１ないし請求項１２のいずれかに記載のメモリカードによるデータ配布方法において、前記携帯端末に前記メモリカードが挿入されることで、前記メモリカードに格納されているデータが、前記携帯端末において自動再生されることを特徴とする。
【００２４】
請求項１４記載の発明は、請求項１ないし請求項１３のいずれかに記載のメモリカードによるデータ配布方法において、前記メモリカードに格納されているデータを再生するためのアプリケーションプログラムは、前記メモリカードに格納されているデータを検索する機能を備えていることを特徴とする。
【００２５】
請求項１５記載の発明は、請求項１ないし請求項１４のいずれかに記載のメモリカードによるデータ配布方法において、前記メモリカードは、データの追記可能な媒体であり、ユーザが、ダウンロードしたデータを追記することを可能としたことを特徴とする。
【発明の効果】
【００２６】
本発明のメモリカードによるデータ配布方法は、ユーザの商品購買意欲のレベルに応じて選択された配布データを携帯端末に挿入可能なメモリカードに格納して配布する。これにより、ユーザにとって興味のあるデータを積極的に提示できる。たとえば、配布データが広告データであれば、より高い広告効果が得られる。また、配布データが、携帯端末で再生可能であるので、ユーザは、いつでもどこでも配布データを参照することができる。これにより、配布データが、ユーザによって参照される可能性を高くすることができる。
【００２７】
また、本発明は、携帯端末に挿入可能なメモリカードに、制限されることなく参照可能な第１配布データと、鍵情報を与えることによって参照可能となる第２配布データとを格納して配布し、ユーザが所定の操作を行うことによって、第２配布データが参照可能な状態とされる。ユーザにとって興味あるデータが第２配布データとして提供されることで、ユーザに所定の操作を促すことができる。この所定の操作として、会員登録操作やアンケート回答操作を準備すれば、顧客情報を効率的に収集することができる。
【発明を実施するための最良の形態】
【００２８】
｛第１の実施の形態｝
以下、図面を参照しつつ本発明の実施の形態について説明する。図１は、第１の実施の形態に係るデータ配布方法の処理の流れを示す図である。このデータ配布方法では、ユーザに対してメモリカード１０を配布する。メモリカード１０を配布する前提として、サービス提供者は、ユーザから顧客情報を得る必要がある。サービス提供者とは、ユーザに対して、商品やデジタルコンテンツを販売する者である。サービス提供者は、商品やデジタルコンテンツを販売するための広告データなどをメモリカードを利用して配布する。また、ユーザの顧客情報を収集、分析し、商品やデジタルコンテンツの販売促進を行う者である。
【００２９】
顧客情報を得るルートとしては、たとえば、図に示すような３つのルートが代表的である。その１つは、図の（Ａ）で示すルートである。ユーザは、店舗に訪れて商品を購入する。そこで、ユーザは、所定の情報を記入して会員登録を行うのである。たとえば、氏名、性別、年齢、住所、職業、趣味などを記入する。また、あわせてアンケートにも回答する。あるいは、会員登録とアンケート回答のいずれかを行う。このようにして得られた顧客情報は、購入した商品の情報等とともに、サービス提供者が管理している顧客データベース１００に登録される。
【００３０】
第２のルートは、図の（Ｂ）のルートである。ユーザは、店舗に訪れて、所定の情報を記入して会員登録を行うのである。また、アンケートに回答してもよい。このようにして得られた顧客情報は、同様に、顧客データベース１００に登録される。
【００３１】
第３のルートは、図の（Ｃ）のルートである。ユーザは、自宅のＰＣなどから、サービス提供者が運営しているＷＷＷサーバにアクセスし、アンケートへの回答や、資料請求などを行うのである。この場合にも、上記と同様、ユーザは、氏名、性別、年齢、住所、職業、趣味などの情報を入力する。このようにして得られた顧客情報も、顧客データベース１００に登録される。
【００３２】
このようにして、顧客データベース１００に複数のルートから得られた顧客情報が登録される。ルート（Ａ）の場合には、ユーザの購入した商品の情報なども顧客データベース１００に登録される。顧客データベース１００には、また、各ユーザの情報がどのルートから得られた情報であるかも記録される。また、どの店舗で取得された顧客情報であるか、どのサイトから取得された顧客情報であるについても登録される。これにより、顧客をセグメント化することができる。
【００３３】
たとえば、上記ルート（Ａ）で情報が得られたユーザは、購買意欲が明確で、次期製品の購買予備軍となる顧客セグメントと位置付けられる。つまり、購入した商品と同じブランドの製品や新製品に強い興味を抱くユーザであると予想される。
【００３４】
また、ルート（Ｂ）で情報が得られたユーザは、購買意欲があり、訪れた店舗の扱い製品もしくはブランドに興味があることが明確であると位置付けられる。ただし、同様の他社製品、もしくは同社の他製品と比較検討段階にある場合も想定される。
【００３５】
これに比べて、ルート（Ｃ）で情報が得られたユーザの購買意欲は不明である。しかし、アンケート等により情報を送信してきたわけであるから、対象となる製品やブランド（企業）に興味があるユーザと位置付けられる。
【００３６】
サービス提供者は、このように顧客データベース１００を構築し、そのユーザに応じた広告データをメモリカード１０に格納し、ユーザに配布するのである。つまり、広告データベース１０１には、多様な広告データが登録されているが、サービス提供者は、この中から、そのユーザに応じた広告データを選択して、メモリカード１０に格納するのである。
【００３７】
たとえば、ルート（Ａ）により情報が得られたユーザには、購入した商品と同じブランドの商品の広告データが格納されたメモリカード１０を配布すると効果的である。また、購入した商品がバッグであれば、バッグに興味のあるユーザであると予想されるので、同じブランドの別のバッグや、他のブランドのバッグの広告データをメモリカード１０に格納しても効果的である。
【００３８】
一方、ルート（Ｂ）により情報が得られたユーザには、各ブランドの製品を比較した広告データをメモリカード１０に格納して配布すると効果的である。また、訪問した店舗が扱うブランドの製品をなるべく多く広告データに含めるようにしてもよい。
【００３９】
これに対して、ルート（Ｃ）で情報が得られたユーザに対しては、幅広い商品情報が含まれた広告データをメモリカード１０に格納する方がよい。
【００４０】
メモリカード１０の配布方法としては、即時手渡しや郵送などが考えられる。たとえば、ルート（Ａ）やルート（Ｂ）の場合には、店舗で、即時にメモリカード１０を手渡した方が効果的である。メモリカード１０は、携帯電話機５に挿入してアクセスすることが可能なメディアである。これにより、ユーザは、店舗からの帰り道で、いつでもどこでもメモリカード１０に格納された広告データを参照することができるのである。
【００４１】
店舗で即時に手渡すためには、たとえば、サービス提供者のセンタサーバ（顧客データベース１００や広告データベース１０１を保有しているサーバ）に接続された専用の装置を店舗内に設置する。そして、当該装置において、顧客情報を入力することで、当該ユーザに適した広告データがメモリカード１０に書き込まれるようにすればよい。あるいは、サービス提供者のセンタサーバに接続可能なＰＣなどの汎用のコンピュータと専用ソフトウェアによって、メモリカード１０にユーザに応じた広告データを書き込むようにしてもよい。
【００４２】
ルート（Ｃ）の場合には、広告データをメモリカード１０に格納した上で、ユーザにメモリカード１０を郵送すればよい。もちろん、ルート（Ａ）や（Ｂ）の場合であっても、メモリカード１０を後日郵送するという形態でもよい。
【００４３】
このようにして、ユーザに、当該ユーザ用にカスタマイズされた広告データが格納されたメモリカード１０が配布される。ユーザは、メモリカード１０を携帯電話機５のメモリスロットに挿入することで、簡単に広告データを参照することが可能である。そして、その広告データは、ユーザの購買意欲のレベルに応じて選択された内容であるので、ユーザにとって興味の沸く広告である。これにより、ユーザに、積極的に広告情報を提供することが可能であり、広告効果を充分に得ることが可能である。
【００４４】
また、図に示すように、配布するメモリカード１０には、シール１１が貼付されている。メモリカード１０のカード表面には、シール１１を貼付するための薄い溝が形成されており、その部分に、シール１１が貼付されるのである。溝が形成されていることにより、シール１１を貼付した場合にも、メモリカード１０の厚みが厚くならないようにしている。このような構成とすることで、メモリスロット内でメモリカード１０に貼付したシール１１が引っ掛かることを防止している。
【００４５】
そして、このシール１１には、メモリカード１０に格納されている広告データの内容を表す情報が印字されている。たとえば、メモリカード１０に海外有名ブランドのバッグなどの広告データが格納されている場合、シール１１に代表的なバッグの写真を印刷しておくようにする。このようにすることで、ユーザにメモリカード１０の内容を参照したくなるような動機を起こさせることができる。また、ブランド物の写真などをシール１１に印刷しておくことで、メモリカード１０自体に物質的な価値を持たせることができる。従来、魅力のない広告媒体は、すぐに捨てられるというケースが高かったが、広告メディア自体に物質的な価値を持たせることで、ユーザに継続して広告メディアを所持してもらうことも可能となる。
【００４６】
このように、本実施の形態においては、ユーザの購買意欲のレベルをデータベースで管理する。そして、ユーザの購買意欲のレベルに応じた商品の広告データをメモリカード１０に格納してユーザに配布する。これにより、ユーザは、手持ちの携帯電話機５を用いて、容易に広告データを参照することができる。
【００４７】
上記の実施の形態においては、ユーザの購買意欲のレベルに応じて、商品の広告データをメモリカード１０に格納した。つまり、商品の販売促進広告データをメモリカード１０に格納してユーザに配布するようにした。これ以外に、ユーザの購買意欲のレベルに応じてデジタルコンテンツデータをメモリカード１０に格納するようにしてもよい。デジタルコンテンツデータとは、音楽データ、動画データ、デジタル書籍データなどである。あるいは、キャラクターやゲームなどのノベルティグッズデータであってもよい。
【００４８】
たとえば、ユーザが店舗において、あるミュージシャンの音楽ＣＤを購入した上で、会員登録を行ったとする。この場合、サービス提供者は、ルート（Ａ）により顧客情報を得る。このような場合には、このユーザに対して、たとえば、同じミュージシャンの別の音楽データが格納されたメモリカード１０を配布するのである。このメモリカード１０には、たとえば、イントロと歌い出し部分の音楽データのみが格納されている。このようなコンテンツをユーザに配布することで、新たな音楽ＣＤの販売を促進させることができる。
【００４９】
また、たとえば、ルート（Ｂ）やルート（Ｃ）から顧客情報を得たのであれば、ジャンルやミュージシャンを特定せず、最新のヒット曲の歌い出し部分のデータが格納されたメモリカード１０を配布すれば効果的である。
【００５０】
このように、ユーザの購買意欲のレベルに応じて選択されたデジタルコンテンツをメモリカード１０に格納して配布してもよい。この場合、たとえば、シール１１には、格納されているミュージシャンの写真や、アルバムジャケットなどを印字しておけばよい。これにより、ユーザにとってメモリカード１０を魅力的なメディアとして提供することが可能であり、メモリカード１０の中身を積極的に参照させることができる。
【００５１】
｛第２の実施の形態｝
次に、本発明の第２の実施の形態について説明する。第１の実施の形態においては、顧客情報からユーザをセグメント化し、セグメント化されたユーザに個別の配布データを選択し、選択された配布データをメモリカードに格納して配布することとした。この第２の実施の形態では、まず、たとえば無料などで、不特定のユーザにメモリカード２０を配布する（あるいは非常に安価な価格での提供も考えられる。）。そして、メモリカード２０を配布した後に、セグメント化された顧客情報を収集する方法である。
【００５２】
図２（Ａ）は、メモリカード２０の外観図であり、図２（Ｂ）は、メモリカード２０に格納される配布データの構成を示す図である。図２（Ａ）に示すように、メモリカード２０にはシール２１が貼付されている。シール２１は、第１の実施の形態で説明したシール１１と同様の役割である。つまり、メモリカード２０に格納されている配布データの内容を表す情報がシール２１に印字されている。
【００５３】
図２（Ｂ）に示すように、メモリカード２０に格納されている配布データは、一般配布データ２１１と特別データ２１２とから構成されている。一般配布データ２１１は、たとえばメモリカード２０の無料配布を受けたユーザ全てが参照することができるデータである。これに対して、特別データ２１２は暗号化されている。したがって、無料配布でメモリカード２０を受け取ったユーザは、そのままでは特別データ２１２を参照することができない。
【００５４】
図３は、第２の実施の形態に係るデータ配布方法の手順を示す図である。図にも示すように、まず、ユーザに対して無料でメモリカード２０が配布される。ユーザは、このメモリカード２０を所持している携帯電話機５のメモリカードスロットに挿入してデータを参照するのである。
【００５５】
たとえば、一般配布データ２１１として、商品の一般的な広告データが格納されている。そして、さらに、その商品の詳しい情報が特別データ２１２として格納されているのである。あるいは、特典情報が特別データ２１２として格納されているのである。
【００５６】
一般配布データ２１１には、会員登録やアンケートを行うことで、特別データ２１２が参照可能となることをユーザに通知する情報が含まれている。ユーザは、一般配布データ２１１に含まれている広告データを参照し、さらに、特別データ２１２を参照したくなった場合には、携帯電話機５を操作して、サービス提供者が運営しているＷＷＷサーバ２０１にアクセスし、会員登録手続き、あるいはアンケートの回答を行うのである。これにより、図３に示すように、携帯電話機５からサービス提供者に情報が送信され、サービス提供者が管理している顧客データベース２００に情報が登録される。たとえば、ユーザが、会員登録手続きあるいはアンケート回答により、氏名、性別、年齢、住所、職業、趣味などの情報を入力すると、これらの情報が顧客データベース２００に登録される。あるいは、ユーザが、一般配布データ２１１の中で、特定の配布データを参照している場合には、その選択情報が顧客データベース２００に登録される。これにより、ユーザの趣向を分析することもできる。
【００５７】
ユーザから送信された情報が顧客データベース２００に登録されると、サービス提供者のＷＷＷサーバ２０１から、携帯電話機５に暗号キーがダウンロードされる。携帯電話機５では、ダウンロードした暗号キーを用いて特別データ２１２が復号される。これにより、ユーザは、特別データ２１２を参照可能となる。
【００５８】
このように、第２の実施の形態においては、メモリカード２０に格納されている配布データが、制限の掛かっていない一般配布データ２１１と、暗号化されている特別データ２１２とで構成されている。そして、特別データ２１２を参照するためのプロセスの過程でサービス提供者は、ユーザの顧客情報を得ることができるのである。また、ユーザは、情報を入力することの代償として、特別データ２１２として格納されている価値の高い詳細情報や特典情報を得ることができるのである。特典情報として、たとえば、クーポン情報などが格納されている。
【００５９】
上記実施の形態においては、配布データとして広告データが格納されている場合を例に説明した。つまり、一般配布データ２１１として商品の一般的な広告データが格納されており、さらに詳しい情報や特典情報が特別データ２１２として格納されていた。これ以外に、メモリカード２０には、デジタルコンテンツデータを格納するようにしてもよい。
【００６０】
デジタルコンテンツデータとは、音楽データ、動画データ、デジタル書籍データなどである。この場合には、たとえば、一般配布データ２１１として、音楽データのイントロ部分が格納されている。ユーザは、会員登録あるいはアンケートに回答することで、特別データ２１２として格納されているイントロに続く音楽データを聴くことが可能となるのである。あるいは、デジタル書籍データであれば、デジタル漫画の最初数ページが一般配布データ２１１として格納されており、会員登録等を行うことで、特別データ２１２に格納されている漫画の続きを読むことができるのである。
【００６１】
また、別の形態として、ユーザが課金情報を送信することで、暗号キーがダウンロードされるような仕組みとしてもよい。たとえば、一般配布データ２１１として音楽データの無料提供部分が再生される。この後、携帯電話機５のモニタに、「この音楽を全部聴きたい場合には、有料のダウンロードを行って下さい。」といったメッセージが表示されるのである。そして、ユーザが、課金に承諾する操作を行うと、暗号キーがダウンロードされ、特別データ２１２として格納されている音楽データの全体を聴くことが可能となる。
【００６２】
また、別の形態として、シリアル番号を利用するようにしてもよい。まず、ユーザに無料配布されるメモリカード２０には、全てシリアル番号を付与しておく。シリアル番号は、メモリカード２０のメディア自体に印字されていてもよいし、シール２１に印字しておいてもよい。
【００６３】
ユーザは、一般配布データ２１１を参照し、さらに、特別データ２１２を参照したい場合には、サービス提供者のサーバに対してシリアル番号を送信するのである。たとえば、携帯電話機５を利用してシリアル番号を送信してもよいし、パソコンを利用して送信するようにしてもよい。これによって、ユーザは暗号キーをダウンロード可能となる。
【００６４】
このようにシリアル番号を利用することで、メモリカード２０の広告効果を分析することが可能となる。たとえば、シリアル番号の番号体系を配布場所、時間、方法などが特定できるようにしておく。そして、暗号キーの取得要求として送信されてきたシリアル番号の統計をとることで、配布場所、時間、方法などによって広告効果を分析することが可能となる。
【００６５】
｛応用例｝
次に、本発明の応用例について説明する。この応用例は、上述した第１および第２の実施の形態に共通して適用されるものである。
【００６６】
＜２次元コード＞
図４は、シール１１，２１に２次元コード３１を印字した実施例を示す図である。このように、メモリカード１０，２０に貼付されているシール１１，２１には、２次元コード３１が印字されている。この２次元コード３１には、サービス提供者のＷＷＷサーバのＵＲＬが記録されている。したがって、ユーザは、携帯電話機５のカメラで、この２次元コード３１を撮像することで、容易にサービス提供者のＷＷＷサーバにアクセスすることが可能となる。
【００６７】
たとえば、第１の実施の形態であれば、ユーザは、配布されたメモリカード１０に格納されている広告データを参照することにあわせて、２次元コード３１に記録されたＵＲＬにアクセスすることで、ＷＷＷサーバ上の広告データも参照することが可能となる。このような形態は、第２の実施の形態でも同様である。
【００６８】
また、第２の実施の形態においては、サービス提供者のＷＷＷサーバ２０１にアクセスして、会員登録情報の入力や、アンケートの回答を行ったが、このＷＷＷサーバ２０１へのアクセスＵＲＬを２次元コード３１に記録しておくようにしてもよい。
【００６９】
＜電子透かし＞
図５は、シール１１，２１に電子透かし３２が含まれる画像を印刷した実施例を示す図である。この電子透かし３２には、サービス提供者のＷＷＷサーバのＵＲＬが記録されている。電子透かしは利用者の目には見えない形でコードデータを埋め込む技術であり、ＱＲコードやバーコード等と異なりデザイン性を損ねることなく、付加情報を紐付けすることができる。たとえば、図５で示すシールには、見た目には、美しい風景画像が印刷されているだけである。その為、メモリカード自体の物質的価値も損ねることなく、プロモーションメディアとして強力なアプローチを行うことができる。そして、ユーザは、携帯電話機５のカメラで、このシール１１，２１に印刷されている画像を撮像することで、容易にサービス提供者のＷＷＷサーバにアクセスすることが可能となる。
【００７０】
ユーザは、配布されたメモリカード１０，２０に格納されている広告データを参照することにあわせて、電子透かし３２に記録されたＵＲＬにアクセスすることで、ＷＷＷサーバ上の広告データも参照することが可能となる。また、第２の実施の形態において、ＷＷＷサーバ２０１へのアクセスＵＲＬを電子透かし３２に記録しておくようにしてもよい。
【００７１】
＜メモリカードのタイプとアプリケーションプログラム＞
上記の実施の形態において、ユーザに対して、携帯電話機のメモリスロットに挿入可能なメモリカード１０，２０を配布した。このメモリカード１０，２０としては、ＲＯＭタイプ、ＭＴＰ（Multi Time Programmable）タイプ、追記型ＯＴＰ（One Time Programmable）タイプなどの不揮発性メモリカードを利用することができる。
【００７２】
そして、図６に示すように、メモリカード１０，２０には、配布データ４１とアプリケーションプログラム４２が格納されるのである。配布データ４１は、上記の実施の形態で説明したように、広告データやデジタルコンテンツデータである。具体的には、動画像データ、静止画像データ、アニメーションデータ、音声・音楽データ、ゲームデータなどが格納される。第２の実施の形態では、配布データ４１として、一般配布データ２１１と特別データ２１２が格納されている。
【００７３】
また、メモリカード１０，２０には、図に示すように、配布データ４１を参照するためのビューワであるアプリケーションプログラム４２が格納されている。図７は、アプリケーションプログラム４２のモジュール構成を示す図である。アプリケーションプログラム４２は、オートランモジュール４２１、ＧＵＩ（グラフィカルユーザインタフェース）４２２、検索モジュール４２３等を備えて構成されている。
【００７４】
オートランモジュール４２１は、メモリカード１０，２０がメモリカードスロットに挿入されたときに、ホストＣＰＵによって呼び出されて実行されるプログラムである。つまり、メモリカード１０，２０を携帯電話機５に挿入すると、オートランモジュール４２１が自動的に携帯電話機５のホストＣＰＵ上で実行され、アプリケーションプログラム４２が自動起動するのである。
【００７５】
ＧＵＩ４２２は、配布データ４１を参照するためのユーザインタフェース用のプログラムである。このユーザインタフェースは、たとえば、マークアップ言語（ＨＴＭＬ／ＸＭＬ）などを利用して、サービス提供者が自由にデザインできるようになっている。これにより、メモリカードごとに特色のあるユーザインタフェースをデザインすることが可能となっている。ＧＵＩ４２２は、動画の再生や、静止画像の表示、音声・音楽データの再生、テキストの表示を行うインタフェースや、これらコンテンツへ誘導するメニュー画面などを備えている。
【００７６】
また、ＧＵＩ４２２は、広告表示インタフェースを備えている。たとえば、配布データ４１として音楽データが格納されている場合などにおいて、音楽ＣＤ，ＤＶＤなどの広告バナーを表示させるのである。この広告データは、ネットワーク上からダウンロードされる。また、時間帯によって、表示広告の内容を変化させることが可能である。
【００７７】
検索モジュール４２３は、メモリカード１０，２０に格納されている広告データやコンテンツデータを文字列検索することや、カテゴリ検索するためのモジュールである。たとえば、多数の音楽データが格納されている場合、ユーザは、曲名、アーティスト名などによって、所望の音楽データを検索することが可能である。
【００７８】
さらに、アプリケーションプログラム４２は、第２の実施の形態においては、ダウンロードした暗号キーを用いて、特別データ２１２を復号する機能を備えている。
【００７９】
また、アプリケーションプログラム４２は、１回目の起動時に、ユーザプロファイルの設定を行う。たとえば、１回目の起動時には、アプリケーションプログラム４２は、携帯電話機５のモニタにユーザ設定画面を表示させるのである。ここで、ユーザは、各種の情報を入力する。たとえば、興味のあるカテゴリや、好きな音楽ジャンル、映画ジャンルなどを入力する。これにより、ＧＵＩ４２２による配布データ４１の表示順序を自動設定するのである。たとえば、ユーザに興味のあるデータを優先的に表示すれば、広告効果を向上させることが可能である。
【００８０】
なお、アプリケーションプログラム４２は、メモリカード１０，２０に格納されている場合を説明したが、携帯電話機５にプリコードされている形態であってもよい。
【００８１】
また、メモリカード１０，２０として、ＭＴＰタイプや追記型ＯＴＰタイプのメモリカードを利用している場合には、ユーザがダウンロードした特典コンテンツなどを追記していくことも可能である。たとえば、第２の実施の形態において、所定回数アンケートに回答した場合や、所定回数有料コンテンツの課金を行った場合には、特典コンテンツをダウンロード可能であり、そのコンテンツをそのままメモリカード２０に格納できるのである。
【００８２】
＜販売促進と顧客情報の収集＞
以上説明したように、本発明は、メモリカード１０，２０に広告データを格納することで、商品の販売促進効果を得ることができる。従来の広告メディアに比べて、よりユーザにとって魅力的な広告メディアを構築することで、より高い広告効果が得られるような仕組みとなっている。
【００８３】
上述したように、メモリカード１０，２０には、広告データが格納されるとともに、シール１１，２１にその広告の内容が印刷されている。この印刷内容を魅力的なものにすることによって、ユーザがメモリカードの内容を参照する確率を向上させることができるばかりでなく、メモリカード自体に物質的な価値を持たせることで、継続的な販売促進効果が得られるのである。たとえば、特定のブランドのメモリカードをユーザが収集するといった行動がとられれば、ブランド価値の向上と、高い宣伝効果を奏することができる。あるいは、ブランドの商品広告が印刷されたメモリカードをユーザがアクセサリとして使用すれば、より継続的な販売促進効果を得ることができる。
【００８４】
また、このメモリカード自体を、店舗で提示することで、割引サービスや特典サービスが得られるようにしていてもよい。あるいは、シール１１，２１に印字された２次元コード３１あるいは電子透かし３２に、クーポン情報を記録しておいてもよい。これにより、紙媒体と比べて膨大な情報を蓄積したクーポン券として利用可能である。
【００８５】
上記第２の実施の形態で説明したように、本発明の方法によれば、アンケート回答などにより、顧客情報を収集することができる。この他、メモリカード１０，２０のレジスタ領域あるいはデータ内に固有ＩＤを格納しておくようにしてもよい。そして、ユーザが、メモリカード１０，２０を携帯電話機５にセットして、ネットワークアクセスした場合には、サービス提供者のサーバが、この固有ＩＤを取得するのである。上記のシリアル番号と同様、この固有ＩＤから、メモリカード１０，２０の配布店舗や配布時期などを追跡可能としておけば、広告効果の分析を行うことができる。たとえば、メモリカード１０，２０を配布した店舗と、商品が実際に購入された店舗が異なるような場合であっても、配布店舗に売上げ貢献度を与えるなどの運用が可能であり、各店舗に積極的な販売促進活動を促すことができる。
【図面の簡単な説明】
【００８６】
【図１】第１の実施の形態に係るメモリカードの配布手順を示す図である。
【図２】第２の実施の形態に係るメモリカードを示す図である。
【図３】第２の実施の形態に係るメモリカードの配布手順を示す図である。
【図４】シールに２次元コードを印字させたメモリカードを示す図である。
【図５】シールに電子透かしを印字させたメモリカードを示す図である。
【図６】メモリカードに格納されるデータの内容を示す図である。
【図７】アプリケーションプログラムのモジュール構成を示す図である。
【符号の説明】
【００８７】
５      携帯電話機
１０，２０      メモリカード
１１，２１      シール
３１      ２次元コード
３２      電子透かし
４１      配布データ
４２      アプリケーションプログラム（ビューワ）
１００，２００      顧客データベース
【図１】
2008083829.tif 000003
【図２】
2008083829.tif 000004
【図３】
2008083829.tif 000005
【図４】
2008083829.tif 000006
【図５】
2008083829.tif 000007
【図６】
2008083829.tif 000008
【図７】
2008083829.tif 000009